(57)【要約】      （修正有）【課題】手術顕微鏡を横向きにした場合に接眼鏡筒部を前後方向でコンパクトに折りたたむことができる手術顕微鏡の接眼部構造を提供する。【解決手段】接眼鏡筒部１５の長さが可動鏡筒部１１よりも短く、且つ固定鏡筒部６の上部には接眼鏡筒部１５の他端を受け入れ可能な凹部１０ａが形成されているため、可動鏡筒部１１の上に接眼鏡筒部１５を完全に水平状態で重ねて折りたたむことができる。その状態にして顕微鏡本体２の向きを横向きにすれば、接眼鏡筒部１５は前後方向でコンパクトに折りたたまれた状態となる。【選択図】図９
2018146904.tif 000002
【特許請求の範囲】
【請求項１】
顕微鏡本体の下面に形成された光束取入口から光束を取り入れ、顕微鏡本体の内部で左右に分岐された２本の光束を顕微鏡本体の前面に形成された光束取出口から取り出し、取り出された２本の光束を観察者の瞳に導くために、光束取出口に取付けられる手術顕微鏡の接眼部構造であって、
前記光束取出口に取付けられる固定鏡筒部と、固定鏡筒部の左右両側に一端がそれぞれ取付けられ該一端を中心に上下に回動自在な左右一対の可動鏡筒部と、
可動鏡筒部の他端間に両端が連結され該両端を中心に上下に回動自在な中間鏡筒部と、
中間鏡筒部の前面に一端がそれぞれ取付けられ該一端を中心に左右に回動自在な左右一対の接眼鏡筒部と、
接眼鏡筒部の他端に取付けられ接眼鏡筒部とは直角を成すアイピースとを具備し、
接眼鏡筒部の長さが可動鏡筒部よりも短く、固定鏡筒部の上部に接眼鏡筒部の他端を受け入れ可能な凹部が形成され、水平状態にされた可動鏡筒部の上部に接眼鏡筒部を重ねて水平状態にすることができるように構成されたことを特徴とする手術顕微鏡の接眼部構造。
【請求項２】
接眼鏡筒部の内部にロンボイドプリズムが設けられ、接眼鏡筒部の他端にロンボイドプリズムの端部に相応する傾斜面が形成され、固定鏡筒部の上部の凹部に接眼鏡筒部の他端の傾斜面に相応する傾斜面が形成されていることを特徴とする請求項１記載の手術顕微鏡の接眼部構造。
【発明の詳細な説明】
【技術分野】
【０００１】
本発明は手術顕微鏡の接眼部構造に関するものである。
【背景技術】
【０００２】
手術顕微鏡はスタンド装置により支持されて手術に使用される。手術顕微鏡は下面に光束取入口を有し、そこから術部で反射された光束を内部に取り入れる。取り入れられた光束は手術顕微鏡の内部で所定の倍率に拡大される共に左右に分岐された後、手術顕微鏡の前面に設けられた左右一対の接眼鏡筒部に導かれる。ドクターは接眼鏡筒部から術部を立体的に拡大観察することができる。
【０００３】
ドクターは自身の瞳を接眼鏡筒部に付けたまま、腕を光束取入口の下方にある術部まで伸ばして手術を行うため、接眼鏡筒部から術部までの距離はなるべく短い方が好ましい。そのため接眼鏡筒部は上下に回動できる構造になっており、接眼鏡筒部をなるべく下方に位置させて、術部までの上下距離を短くできるようになっている（例えば、特許文献１参照）
【先行技術文献】
【特許文献】
【０００４】
【特許文献１】特開２００４−７０２３９号公報
【発明の概要】
【発明が解決しようとする課題】
【０００５】
しかしながら、このような関連技術にあっては、手術顕微鏡により下方に位置する術部を下向き状態のまま観察して手術する場合は問題ないが、手術内容によっては、手術顕微鏡の向きを９０度変更して水平方向に位置する術部を横向き状態で観察しながら手術する場合がある。その場合も接眼鏡筒部から術部までの前後距離を短くする必要があるが、従来の接眼鏡筒部は前後方向でコンパクトに折りたたむことができず、接眼鏡筒部から術部までの前後距離を短縮することが出来なかった。
【０００６】
本発明は、このような関連技術の課題に着目してなされたものであり、手術顕微鏡を横向きにした場合に接眼鏡筒部を前後方向でコンパクトに折りたたむことができる手術顕微鏡の接眼部構造を提供することを目的としている。
【課題を解決するための手段】
【０００７】
本発明の第１の技術的側面によれば、顕微鏡本体の下面に形成された光束取入口から光束を取り入れ、顕微鏡本体の内部で左右に分岐された２本の光束を顕微鏡本体の前面に形成された光束取出口から取り出し、取り出された２本の光束を観察者の瞳に導くために、光束取出口に取付けられる手術顕微鏡の接眼部構造であって、前記光束取出口に取付けられる固定鏡筒部と、固定鏡筒部の左右両側に一端がそれぞれ取付けられ該一端を中心に上下に回動自在な左右一対の可動鏡筒部と、可動鏡筒部の他端間に両端が連結され該両端を中心に上下に回動自在な中間鏡筒部と、中間鏡筒部の前面に一端がそれぞれ取付けられ該一端を中心に左右に回動自在な左右一対の接眼鏡筒部と、接眼鏡筒部の他端に取付けられ接眼鏡筒部とは直角を成すアイピースとを具備し、接眼鏡筒部の長さが可動鏡筒部よりも短く、固定鏡筒部の上部に接眼鏡筒部の他端を受け入れ可能な凹部が形成され、水平状態にされた可動鏡筒部の上部に接眼鏡筒部を重ねて水平状態にすることができるように構成されたことを特徴とする。
【０００８】
本発明の第２の技術的側面によれば、接眼鏡筒部の内部にロンボイドプリズムが設けられ、接眼鏡筒部の他端にロンボイドプリズムの端部に相応する傾斜面が形成され、固定鏡筒部の上部の凹部に接眼鏡筒部の他端の傾斜面に相応する傾斜面が形成されているように構成されたことを特徴とする。
【発明の効果】
【０００９】
本発明の第１の技術的側面によれば、接眼鏡筒部が一端を中心に上方へ回動自在で、その接眼鏡筒部が中間鏡筒部ごと可動鏡筒部に対して上方へ回動自在であるため、可動鏡筒部を水平にすると共に、接眼鏡筒部を水平状態にした可動鏡筒部の上部へ重ねるように回せることができる。その際に接眼鏡筒部の長さが可動鏡筒部よりも短く、且つ固定鏡筒部の上部には接眼鏡筒部の他端を受け入れ可能な凹部が形成されているため、可動鏡筒部の上に接眼鏡筒部を完全に水平状態で重ねて折りたたむことができる。その状態にして顕微鏡本体の向きを横向きにすれば、アイピースが接眼鏡筒部と直角のため、アイピースは前方を向いた状態となり、接眼鏡筒部は前後方向でコンパクトに折りたたまれた状態となり、アイピースから術部までの前後距離を短くすることができる。
【００１０】
本発明の第２の技術的側面によれば、接眼鏡筒部の他端にロンボイドプリズムの端部に相応する傾斜面が形成され、固定鏡筒部の上部の凹部には対応する傾斜面を形成したため、凹部のサイズを最小にすることができる。凹部のサイズを最小にした分、固定鏡筒部の内部スペースを確保でき、内部にプリズムやレンズなどの光学要素を確実に収納することができる。
【図面の簡単な説明】
【００１１】
【図１】手術顕微鏡を示す斜視図。
【図２】接眼部構造を示す斜視図。
【図３】接眼部構造の内部の光学要素を示す斜視図。
【図４】手術顕微鏡を示す正面図。
【図５】接眼鏡筒部を上方へ回動させた状態を示す図４相当の正面図。
【図６】手術顕微鏡を示す側面図。
【図７】接眼鏡筒部を上方へ回動させた状態を示す接眼部構造の側面図。
【図８】接眼鏡筒部を可動鏡筒部の上部へ折りたたんだ状態を示す図７相当の側面図。
【図９】接眼鏡筒部を折りたたんで手術顕微鏡の向きを変えた状態を示す側面図。
【発明を実施するための形態】
【００１２】
図１〜図９は本発明の好適な実施形態を示す図である。以上及び以下において前後左右の方向性は図１に示された通りである。
【００１３】
手術顕微鏡１は図示せぬスタンド装置に支持されており、向きを自由に変えることができる。手術顕微鏡１は顕微鏡本体２と接眼部構造３から構成されている。顕微鏡本体２の下面には光束取入口４が形成され、術部Ｇからの光束を内部に取り入れことができる。内部に取り入れられた光束は立体観察のために左右一対の２本の光束Ｌに分岐され（図３参照）、顕微鏡本体２の前面に形成された光束取出口５から取り出される。
【００１４】
光束取出口５には接眼部構造３が取付けられている。接眼部構造３は顕微鏡本体２から取り出された２本の光束Ｌをドクター（観察者）の瞳に導いて術部Ｇを立体的に観察するためのものである。また接眼部構造３はドクターが楽な姿勢で観察できるように角度が変更できるようになっている。
【００１５】
光束取出口５にはまず固定鏡筒部６が回動自在に取付けられている。固定鏡筒部６内にはレンズ７と、光束Ｌを下方へ反射するアミチプリズム８と、光束Ｌを左右両側へ反射する直角プリズム９が内蔵されている。固定鏡筒部６の上部には凹部１０が形成され、該凹部１０の下面は傾斜面１０ａとなっている。
【００１６】
固定鏡筒部６の左右両側には一端がそれぞれ回動自在に取付けられた可動鏡筒部１１が設けられている。可動鏡筒部１１の内部にはその長手方向に沿ってドーブプリズム１２が設けられている。
【００１７】
可動鏡筒部１１の他端間には左右両端が連結された中間鏡筒部１３が設けられている。中間鏡筒部１３は直方体形状で両端を中心に可動鏡筒部１１に対して回動自在である。中間鏡筒部１３の内部には左右両側に光束Ｌを直角に反射する直角プリズム１４が設けられている。
【００１８】
直方体形状をした中間鏡筒部１３の前面には左右一対の接眼鏡筒部１５の各一端が回動自在に取付けられている。接眼鏡筒部１５の他端にはアイピース１６が直角に形成されている。接眼鏡筒部１５の内部にはロンボイドプリズム１７が設けられ、アイピース１６の内部には接眼レンズ１８が設けられている。
【００１９】
接眼鏡筒部１５は目幅を調整するために一端を中心にアイピース１６側を左右に回動させることができる。この接眼鏡筒部１５の一端は中間鏡筒部１３内で図示せぬギア同士が係合しており、左右両側に同じ角度だけ回動するようになっている。接眼鏡筒部１５は大きく上側に回動させることができ（図５）、その高さ位置で使用することもできる。更に接眼鏡筒部１５は取付けられている中間鏡筒部１３ごと上下にも回動自在できるため、ドクターは自身の希望する向きで観察することができる。
【００２０】
この接眼鏡筒部１５の長さＡは可動鏡筒部１１の長さＢよりも短く、且つ接眼鏡筒部１５の他端には後面側から前面側へ漸次傾斜する傾斜面１５ａが形成されている。この傾斜面１５ａは接眼鏡筒部１５の内部のロンボイドプリズム１７の端部に相応している。固定鏡筒部６の上部の凹部１０はこの接眼鏡筒部１５の他端を受け入れるために形成されたもので、凹部１０に形成された傾斜面１０ａは接眼鏡筒部１５の傾斜面１５ａと一致している。
【００２１】
凹部１０の下方が傾斜面１０ａになっているため、凹部１０のサイズを最小にすることができる。凹部１０のサイズを最小にした分、固定鏡筒部６の内部スペースを確保でき、内部にアミチプリズム８等の光学要素を確実に収納することができる。
【００２２】
図６に示すように、術部Ｇが手術顕微鏡１の下方に位置している場合には、アイピース１６をなるべく低くして、アイピース１６と光束取入口４との上下距離Ｄ１を小さくする。ドクターは瞳をアイピース１６に付けたまま、腕を光束取入口４の下方にある術部Ｇまで伸ばして手術を行うため、この上下距離Ｄ１を小さくしておけばドクターの腕は十分に術部Ｇまで届くことになり手術を行いやすい。
【００２３】
図９に示すように、術部Ｇが手術顕微鏡１の後方に位置している場合には、手術顕微鏡１の向きを上下方向に９０度変更して術部Ｇを横向き状態で観察する必要がある。そのような場合は顕微鏡本体２を横向きにする前に、まず接眼鏡筒部１５を他端を中心に上方へ回動させて図７のようにする。接眼鏡筒部１５が中間鏡筒部１３ごと可動鏡筒部１１に対して上方へ回動自在であるため、図８のように可動鏡筒部１１を水平にすると共に、接眼鏡筒部１５を水平状態にした可動鏡筒部１１の上部へ重ねるように回していく。
【００２４】
その際に接眼鏡筒部１５の長さＡが可動鏡筒部１１の長さＢよりも短く、且つ固定鏡筒部６の上部には接眼鏡筒部１５の他端を受け入れ可能な凹部１０が形成されているため、可動鏡筒部１１の上に接眼鏡筒部１５を完全に水平状態で重ねて折りたたむことができる。
【００２５】
接眼鏡筒部１５を可動鏡筒部１１の上部に折りたたんだ後に図９のように手術顕微鏡１の向きを９０度変更する。そうするとアイピース１６が接眼鏡筒部１５と直角のため、アイピース１６は前方を向いた状態となり、ドクターはそのアイピース１６から通常通りの姿勢で術部Ｇを観察することができる。
【００２６】
しかも接眼鏡筒部１５が可動鏡筒部１１に対して折りたたまれているため、アイピース１６と光束取入口４との前後距離Ｄ２は小さくなっている。そのためドクターが瞳をアイピース１６に付けたまま腕を光束取入口４の後方にある術部Ｇまで伸ばした際に、腕が術部Ｇまで十分に届くことになり手術を行いやすい。
【符号の説明】
【００２７】
１  手術顕微鏡
２  顕微鏡本体
３  接眼部構造
４  光束取入口
５  光束取出口
６  固定鏡筒部
１０  凹部
１０ａ  傾斜面
１１  可動鏡筒部
１３  中間鏡筒部
１５  接眼鏡筒部
１６  アイピース
Ｇ  術部
Ｌ  光束
Ａ  接眼鏡筒部の長さ
Ｂ  可動鏡筒部の長さ
【図１】
2018146904.tif 000003
【図２】
2018146904.tif 000004
【図３】
2018146904.tif 000005
【図４】
2018146904.tif 000006
【図５】
2018146904.tif 000007
【図６】
2018146904.tif 000008
【図７】
2018146904.tif 000009
【図８】
2018146904.tif 000010
【図９】
2018146904.tif 000011